(57)【特許請求の範囲】
【請求項１】
被電解水を供給管路を介して電解槽に供給するとともに、同電解槽にて生成した電解水を排出管路を介して排出させる電解水生成装置であって、前記供給管路または前記排出管路における前記電解槽より下方の部位に、同電解槽内の残存水を排出するための液抜き手段を備える電解水生成装置であり、前記液抜き手段は、前記供給管路における前記電解槽の下方の部位に配設した流量調整弁に形成されており、同流量調整弁は、前記供給管路に接続される流路を有し同供給管路に介装されるケーシングと、同ケーシングに移動可能に組付けられて同ケーシングの流路に設けられた弁座部に対して進退する弁体と、前記ケーシングの流路に連通する連通孔に脱着可能に取付けられて同連通孔を液密的に閉塞するプラグを備え、前記ケーシングにおける前記連通孔の開口端部に外周側へ突出する突出部を形成して同連通孔が液抜き手段に形成されていることをことを特徴とする電解生成装置。
【請求項２】
請求項１に記載の電解水生成装置において、前記流量調整弁の弁体を前記プラグに兼用したことを特徴とする電解水生成装置。
【請求項３】
被電解水を供給管路を介して電解槽に供給するとともに、同電解槽にて生成した電解水を排出管路を介して排出させる電解水生成装置であって、前記供給管路または前記排出管路における前記電解槽より下方の部位に、同電解槽内の残存水を排出するための液抜き手段を備える電解水生成装置であり、前記液抜き手段は、前記供給管路における前記電解槽より下方の部位に配設したフィルタに形成されており、同フィルタは、前記供給管路における前記電解槽の陽極室および陰極室に接続される分岐管路部に接続される流路および同流路に連通する連通孔を備え前記供給管路の前記分岐管路部に介装されるケーシングと、同ケーシングの前記連通孔の開口部に脱着可能に取付けられて同開口部を液密的に閉塞するプラグと、同プラグに脱着可能に支持されて前記ケーシング内の前記流路に臨むフィルタエレメントを備え、前記連通孔が前記液抜き手段に形成されていることを特徴とする電解水生成装置。
【発明の詳細な説明】
【０００１】
【産業上の利用分野】
本発明は電解水生成装置、特に、被電解水を供給管路を介して電解槽に供給するとともに、同電解槽にて生成した電解水を排出管路を介して排出させる形式の電解水生成装置に関する。
【０００２】
【従来の技術】
一般に、この種形式の電解水生成装置における電解槽は、隔膜により区画された各隔室のうちの一方の隔室に陽極を配置して形成した陽極室と、他方の隔室に陰極を配置して形成した陰極室を備え、これら両電極室にて被電解水を電解するように構成されている。当該電解水生成装置においては、電解槽内に配置した各電極が電解により漸次消耗し、また隔膜が漸次損傷するおそれがあることから、これらの電極、隔膜等を定期的に新しいものに交換することが望ましい。
【０００３】
【発明が解決しようとする課題】
ところで、当該電解水生成装置においては、電解槽内に残存する被電解水、電解生成水等残存水の液抜き手段を備えてはいない。このため、電解槽内の電極、隔膜等を交換する際に電解槽を分解すると、電解槽内の残存水が電解槽の配設位置の周囲に飛散して周囲を濡らしたり、汚損したりするという問題がある。従って、本発明の目的は、この種形式の電解水生成装置におけるかかる問題に対処することにある。
【０００４】
【課題を解決するための手段】
本発明は、被電解水を供給管路を介して電解槽に供給するとともに、同電解槽にて生成した電解水を排出管路を介して排出させる電解水生成装置であって、前記供給管路または前記排出管路における前記電解槽より下方の部位に、同電解槽内の残存水を排出するための液抜き手段を備える電解水生成装置である。
【０００５】
本発明に係る第１の電解水生成装置においては、前記液抜き手段は、前記供給管路における前記電解槽の下方の部位に配設した流量調整弁に形成されており、同流量調整弁は、前記供給管路に接続される流路を有し同供給管路に介装されるケーシングと、同ケーシングに移動可能に組付けられて同ケーシングの流路に設けられた弁座部に対して進退する弁体と、前記ケーシングの流路に連通する連通孔に脱着可能に取付けられて同連通孔を液密的に閉塞するプラグを備え、前記ケーシングにおける前記連通孔の開口端部に外周側へ突出する突出部を形成して、同連通孔が液抜き手段に形成されていることをことを特徴とするものである。この場合、前記弁体を前記プラグに兼用することができる。
【０００６】
また、本発明に係る第２の電解水生成装置においては、前記液抜き手段は、前記供給管路における前記電解槽より下方の部位に配設したフィルタに形成されており、同フィルタは、前記供給管路における前記電解槽の陽極室および陰極室に接続される分岐管路部に接続される流路および同流路に連通する連通孔を備え前記供給管路の前記分岐管路部に介装されるケーシングと、同ケーシングの前記連通孔の開口部に脱着可能に取付けられて同開口部を液密的に閉塞するプラグと、同プラグに脱着可能に支持されて前記ケーシング内の前記流路に臨むフィルタエレメントを備え、前記連通孔が前記液抜き手段に形成されていることを特徴とするものである。
【０００７】
【発明の作用・効果】
このように構成した電解水生成装置においては、供給管路または排出管路における電解槽より下方の部位に設けた液抜き手段により、電解水内の残存水を容易にかつ確実に排出することができ、存存水は電解槽の配設位置の周囲の広い範囲にわたって飛散するようなことがなくて、排出された水により周囲を広い範囲にわたって濡らしたり、汚損するようなおそれはない。
【０００８】
当該電解水生成装置において、流量調整弁を上記のごとく構成してケーシングにおける連通孔を液抜き手段に構成した場合には、プラグを取り外して連通孔から電解槽内の残存水を周囲にほとんど飛散することなく液抜きすることができる。また、フィルタを上記のごとく構成して連通孔を液抜き手段に構成した場合も同様で、プラグを連通孔から取り外すことにより電解槽内の残存水を周囲にほとんど飛散させることなく排出することができる。
【０００９】
【実施例】
以下本発明の実施例を図面に基づいて説明するに、図１には本発明の第１実施例に係る電解水生成装置が示されている。当該電解水生成装置は電解槽１０ａを主体とするもので、電解槽１０ａは供給管路１０ｂを介し貯溜槽１０ｃに接続されている。貯溜槽１０ｃには被電解水である希薄食塩水が貯溜されている。電解槽１０ａは図２に示すように長方形の箱状を呈するもので、一対の箱体１１ａ，１１ｂを互いにボルト止めすることにより構成され、その内部はイオン透過能を有する隔膜１２にて区画されていて、一方の隔室は陽極１３ａが配設されて陽極室Ｒａに形成され、かつ他方の隔室は陰極１３ｂが配設されて陰極室Ｒｂに形成されている。
【００１０】
供給管路１０ｂは主管路部１４ａと分岐管路部１４ｂ，１４ｃとからなり、主管路１４ａの一端は貯溜槽１０ｃに接続されており、かつ一方の分岐管路１４ｂは陽極室Ｒａに接続されているとともに、他方の分岐管路１４ｃは陰極室Ｒｂに接続されている。また、供給管路１０ｂにおける主管路部１４ａには供給ポンプ１５が介装されているとともに、各分岐管路１４ｂ，１４ｃにはそれぞれ流量調整弁１０ｄが介装されている。各排出管路１６ａ，１６ｂは電解槽１０ａの各電極室Ｒａ，Ｒｂに接続されている。
【００１１】
かかる構成の電解水生成装置においては、供給ポンプ１５の駆動により貯溜槽１０ｃ内の希薄食塩水が供給管路１０ｂを通して電解槽１０ａの各電極室Ｒａ，Ｒｂに供給されて各電極室Ｒａ，Ｒｂ内で電解され、陽極室Ｒａにて生成された酸性水は排出管路１６ａを通して排出され、かつ陰極室Ｒｂ内にて生成されたアルカリ性水は排出管路１６ｂを通して排出される。この間、各電極室Ｒａ，Ｒｂ内に供給される被電解水は各流量調整弁１０ｄにより流量を一定に調整される。
【００１２】
しかして、当該電解水生成装置に使用される流量調整弁１０ｄは図３に示すように、ケーシング１７と弁体１８とにより構成されている。ケーシング１７は略Ｔ字状の管であって、一方の開口部が流入孔１７ａに形成されているとともに、他方の開口部が流出孔１７ｂに形成されていて、これら両孔１７ａ，１７ｂを連通させる流路１７ｃには弁座部１７ｄが配置されている。また、ケーシング１７には、流路１７ｃに連通する連通孔１７ｅが流入孔１７ａに対して同軸的に形成されているとともに、連通孔１７ｅの開口端部の外周には外向フランジ部１７ｆが形成されている。ケーシング１７においては、この連通孔１７ｅに弁体１８が挿入されている。
【００１３】
弁体１８はロッド状を呈するもので、その先端側の円錐状頭部１８ａが流路１７ｃに設けた弁座部１７ｄに対向し、かつ後端部が連通孔１７ｅからケーシング１７の外へ突出している。弁体１８は連通孔１７ｅの挿入された状態でケーシング１７に進退可能に螺合していて連通孔１７ｅを閉塞し、一方へ回転させることにより前進してその円錐状頭部１８ａを弁座部１７ｄに漸次近接させて最後には同弁座部１７ｄに着座させる。これにより、ケーシング１７内の流路１７ｃは漸次絞られ、最後には閉鎖される。また、弁体１８は他方へ回転させることにより後退してその円錐状頭部１８ａを弁座部１８ｄから漸次離間させ、流路１７ｄを漸次開放させる。
【００１４】
このように構成した電解水生成装置においては、供給ポンプ１５を駆動して貯溜槽１０ｃ内の希薄食塩水を電解槽１０ａの各電極室Ｒａ，Ｒｂ内に供給するとともに両電極１３ａ，１３ｂに通電すれば、従来のこの種形式の電解水生成装置と同様、希薄食塩水が各電極室Ｒａ，Ｒｂ内で電解され、陽極室Ｒａからは酸性水が排出管路１６ａを通して排出されるとともに、陰極室Ｒｂからはアルカリ性水が排出管路１６ｂを通して排出される。
【００１５】
当該電解水生成装置においては、運転の総時間が所定の時間に達した時点で電解槽１０ａ内に配設されている各電極１３ａ，１３ｂを新しい電極に交換することが好ましい。この交換時、電解槽１０ａ内には前回の運転により供給された希薄食塩水、電解生成水が一部残存している。このため、残存水を電解槽１０ａから液抜きする必要があり、当該電解水生成装置において、流量調整弁１０ｄを構成している弁体１８をケーシング１７から取り外して連通孔１７ｅから引き出す。これより、ケーシング１７の連通孔１７ｅの開口部が開放されてケーシング１７内の流路１７ｄが外部に連通し、電解槽１０ａの各電解室Ｒａ，Ｒｂは各分岐管路１４ｂａ，１４ｃ、流路１７ｄ、および連通孔１７ｅを介して外部に連通する。
【００１６】
このため、電解槽１０ａの各電極室Ｒａ，Ｒｂ内の残存水はケーシング１７の連通孔１７ｅの開口部から排出させる。この排出時、残存水は周囲に飛散することが少ないが、当該電解水生成装置においては、ケーシング１７の連通孔１７ｅの開口端部の外周に外向フランジ部１７ｆを設けているため、排出水は外向フランジ部１７ｆを伝って落下するため周囲に飛散することが殆どなくて、周囲を濡らしたり汚染することが防止される。
【００１７】
なお、当該電解水生成装置においては、流量調整弁１０ｄを構成するケーシング１７における連通孔１７ｅの先端開口部の外周に、図４の（ａ）に示すように外向フランジ部１７ｆを形成したが、この外向フランジ部１７ｆに代えて図４の（ｂ）に示すように、外向きフランジ部１７ｆの先端面を先端側へ円弧状に膨出する円弧状部１７ｇに形成することができるとともに、同図の（ｃ）に示すように、連通孔１７ｅの形成部の外周を先端開口部側が漸次拡開する膨出形状に膨出部１７ｈに形成することもできる。これらの膨出形状を形成することによって、連通孔１７ｅからの排出水は、円弧状部１７ｇ、膨出部１７ｈの端面を伝って排出されて周囲に飛散することが防止される。
【００１８】
図５には本発明の第２実施例に係る電解水生成装置が示されている。当該電解水生成装置は供給管路の主管路部と分岐管路部との接合部にフィルタが配設されている点で第１実施例に係る電解水生成装置とは相違するが、その他の点は同一の構成となっている。従って、第２実施例に係る電解水生成装置については、第１実施例に係る電解水生成装置との相違点について詳細に説明し、同一の構成部材および構成部分については２０番台の類似の符号を付してその詳細な説明は省略し、必要により説明するにとどめる。
【００１９】
しかして、当該電解水生成装置において、供給管路２０ｂを構成する主管路部２４ａ分岐管路部２４ｂ，２４ｃとの接合部にフィルタ２０ｅが配設されている。当該フィルタ２０ｅは図６に示すように、ケーシング２７と、プラグ２８と、フィルタエレメント２９とにより構成されている。ケーシング２７は有底筒状のもので、筒体２７ａの底部には流入孔２７ｂが形成されているとともに、筒体２７ａの両側部には一対の流出孔２７ｃ，２７ｄが形成されており、また筒体２７ａの開口部の内周にはネジ部２７ｅが形成されている。
【００２０】
プラグ２８は先端面に嵌合凹所２８ａを有するもので、その先端部の外周にネジ部２８ｂが形成されており、中間部の外周にはＯリング２８ｃが嵌着されている。フィルタエレメント２９は筒体２９ａの内部にエレメント２９ｂを挿入された樹脂製のもので、筒体２９ａの外周には長手方向へ延びる複数のスリツト状開口部２９ｃが形成され、かつ先端部には外向フランジ部２９ｄが形成されている。フィルタエレメント２９は、後端部をプラグ２８の嵌合凹所２８ａに嵌着されて組付けられていて、所定の力で嵌合凹所２８ａから取り外すことかできる。
【００２１】
プラグ２８は、フィルタエレメント２９を嵌着させた状態で、ケーシング２７の筒体２７ａの開口端部から内部に挿入されて進退可能に螺合され、最前進位置にてフィルタエレメント２９の外向フランジ部２９ｄを筒体２７ａの底部に当接させている。フィルタ２０ｅはこの状態で、ケーシング２７の流入孔２７ｂを供給管路２０ｂの主管路部２４ａに接続されるとともに、各流出管路２７ｃ，２７ｄを各分岐管路部２４ｂ，２４ｃに接続されて供給管路２０ｂの分岐部に介装されている。
【００２２】
このように介装されたフィルタ２０ｅにおいては、ケーシング２７の流入孔２７ｂから流入する希薄食塩水がフィルタエレメント２９の筒体２９ａの内部のエレメント２９ｂの中央孔部に流入し、次いでエレメン２９ｂの周囲を透過して筒体２９ａの開口部２９ｃからケーシング２７の各流出孔２７ｃ，２７ｄへ流出する。従って、当該電解水生成装置においては、電解槽２０ａの各電極室Ｒａ，Ｒｂに供給する希薄食塩水中の夾雑物をフィルタ２０ｅを通して除去し、清浄な希薄食塩水として各電極室Ｒａ，Ｒｂに供給することができる。
【００２３】
また、フィルタ２０ｅのフィルタエレメント２９に目詰まりが生じた場合には、プラグ２８をケーシング２７の筒体２７ａから取り外してフィルタエレメント２９を新しいものに交換するか、またはフィルタエレメント２９を洗浄、清掃する。。フィルタエレメント２９を交換、洗浄、清掃するに際しては、フィルタエレメント２９をプラグ２８の嵌合凹所２８ａから取り外せばよく、その後新しいフィルタエレメント２９、または洗浄、清掃の終了したフィルタエレメント２９を嵌合凹所２８ａに嵌着し、この状態でプラグ２８をケーシング２７の筒体２７ａに螺合させる。このように、フィルタ２０ｅのプラグ２８をケーシング２７から取り外せば、ケーシング２７の各流入孔２７ｃ，２７ｄが外部に連通するため、電解槽２０ａの各電極室Ｒａ，Ｒｂが各流量調整弁２０ｄ、供給嵌合路２０ｂ、およびフィルタ２０ｅの流出孔２７ｃ，２７ｄを通して外部に連通し、各電極室Ｒａ，Ｒｂ内の残存水を外部の抜き出すことができる。残存水はフィルタ２０ｅのケーシング２７における筒体２７ａの先端開口部から排出されるから、排出水が周囲に飛散することが少なく、周囲を濡らしたり汚染したりすることが防止される。
【図面の簡単な説明】
【図１】本発明の第１実施例に係る電解水生成装置の概略構成図である。
【図２】同電解水生成装置を構成する電解槽の斜視図である。
【図３】同電解水生成装置に採用される流量調整弁の断面図である。
【図４】同流量調整弁を構成するケーシングの端部の斜視図である。
【図５】本発明の第２実施例に係る電解水生成装置の概略構成図である。
【図６】同電解水生成装置に採用それるフィルタの断面図である。
【符号の説明】
１０ａ，２０ａ…電解槽、１０ｂ，２０ｂ…供給管路、１０ｃ，２０ｃ…貯溜槽、１０ｄ…流量調整弁、２０ｅ…フィルタ、１４ａ…主管路部、１４ｂ，１４ｃ…分岐管路部、１７…ケーシング、１８…弁体（プラグ）、２７…ケーシング、２８…プラグ、２９…フィルタエレメント。
【図１】
0003548620.tif 000002
【図２】
0003548620.tif 000003
【図３】
0003548620.tif 000004
【図４】
0003548620.tif 000005
【図５】
0003548620.tif 000006
【図６】
0003548620.tif 000007